(57)【要約】【課題】装飾用の価値は勿論のこと、在宅、あるいは出先での、緊急、最新情報の告知を、即時、容易に得ることができる電子カレンダ表示装置を提供する。【解決手段】表示部１９が、放送信号受信部１１を介して抽出される日付・時刻データに基づき電子カレンダを生成し、当該電子カレンダに、受信したデジタルデータ放送信号をレイアウト表示する。表示部１９が、あらかじめ設定記憶された広告情報を強制的にレイアウト表示しても良い。更に、表示部１９を電子ペーバで構成することで、デジタルデータ放送信号が更新される迄当該更新前のデジタルデータ放送信号を表示することができる。【選択図】      図１
2005210373.tif 000002
【特許請求の範囲】
【請求項１】
デジタルデータ放送信号を受信する放送信号受信部と、
前記受信したデジタルデータ放送信号から抽出される日付・時刻データに基づき電子カレンダ情報を生成し、当該電子カレンダに、前記受信したデジタルデータ放送信号をレイアウト表示する表示部と、
を備えたことを特徴とする電子カレンダ表示装置。
【請求項２】
前記表示部は、あらかじめ設定記憶された広告情報を強制的にレイアウト表示することを特徴とする請求項１に記載の電子カレンダ表示装置。
【請求項３】
外部から設定される１チャンネル以上の受信チャンネルに基づき受信されるデジタルデータ放送信号を一時記憶し、当該記憶された受信チャンネル毎のデジタルデータ放送信号を、リアルタイムで受信したデジタルデータ放送信号と共に所定のレイアウトに従い前記表示部へ供給するレイアウト制御部と、
を備えたことを特徴とする請求項１または２に記載の電子カレンダ表示装置。
【請求項４】
前記表示部は、前記デジタルデータ放送信号が更新される迄、当該更新前のデジタルデータ放送信号を表示する電子ペーパであることを特徴とする請求項１〜３のいずれか１項に記載の電子カレンダ表示装置。
【請求項５】
カレンダを表示する電子カレンダ表示装置に、受信したデジタルデータ放送信号をレイアウト表示するための表示方法であって、
デジタルデータ放送信号を受信するステップと、
前記受信したデジタルデータ放送信号から抽出される日付・時刻データに基づき電子カレンダ情報を生成するステップと、
前記生成された電子カレンダに、前記受信したデジタルデータ放送信号をレイアウト表示するステップと、
を有することを特徴とする電子カレンダ表示方法。
【請求項６】
カレンダを表示する電子カレンダ表示装置に用いられるプログラムであって、
デジタルデータ放送信号を受信する処理と、
前記受信したデジタルデータ放送信号から抽出される日付・時刻データに基づき前記電子カレンダを生成する処理と、
前記生成された電子カレンダに、前記受信したデジタルデータ放送信号をレイアウト表示する処理と、
をコンピュータに実行させるプログラム。
【発明の詳細な説明】
【技術分野】
【０００１】
本発明は、デジタルデータ放送を受信してカレンダと共に表示する、電子カレンダ表示装置およびその表示方法ならびにプログラムに関する。
【背景技術】
【０００２】
カレンダは、卓上、あるいは壁掛けによる月単位の日付表示されたものが一般的であり、その素材は、主に紙等に印刷されたものが多い。カレンダは、室内装飾用としての価値も高く、広く普及し、使用されている。
ところで、上記したカレンダを、カレンダとしての機能の他に、緊急避難場所表示用として写真や絵画等と共に表示し、更に、避難誘導放送受信機を付加した避難場所表示板が提案されている（例えば、特許文献１参照）。
【０００３】
この特許文献１に開示された技術によれば、避難場所表示板は装飾的な価値を持ち、かつ、避難場所に関する情報が目に止まり易いが、表示に注目すれば、情報量が少なく、且つ、避難場所の変更に対応できないといった欠点を持つ。
また、ＦＭ多重放送信号に重畳して送信される識別情報を利用して現在位置に対応する交通情報を入手可能なＦＭ多重放送受信機についても提案されている（例えば、特許文献２参照）。この特許文献２に開示された技術によれば、入手できる情報の種類は交通情報に制限される。
【特許文献１】実用新案登録第３０１４７１９号公報
【特許文献１】特開平６−３１１０６５号公報
【発明の開示】
【発明が解決しようとする課題】
【０００４】
一方、普段、我々が楽しんでいるアナログＴＶ放送がデジタル化されようとしている。デジタル放送は、既にＢＳ（Broadcasting Satellite）デジタルやＣＳ（Communication Satellite）等でサービスが開始されており、対応するチューナを購入すればそのデジタル放送番組を視聴できる。
しかしながら、今後デジタル化されるのは、現在最も普及している地上波のＴＶであり、２００３年に主要都市からサービスが開始され、２０１１年迄にアナログ放送が全面的に打ち切られる予定になっている。上記した地上波ＴＶのデジタル化は、既に欧米で開始されており、日本は出遅れた形だが、後出のアドバンテージを生かしてモバイル向け放送が投入されようとしている。モバイル向け放送は、カーナビゲーションや携帯電話等のメディアステーションで視聴することを目的としており、出先でも手軽にデジタル放送を楽しめ、実現されれば膨大な市場となることは間違いない。
【０００５】
本発明は上記した背景技術に鑑みてなされたものであり、上記した最先端のメディアステーションを用いることで装飾用としての価値は勿論のこと、在宅、あるいは出先での緊急、最新情報の告知を、即時、容易に得ることができる、電子カレンダ表示装置およびその表示方法ならびにプログラムを提供することを目的とする。
【課題を解決するための手段】
【０００６】
上記した課題を解決するために本発明の電子カレンダ装置は、デジタルデータ放送信号を受信する放送信号受信部と、前記受信したデジタルデータ放送信号から抽出される日付・時刻データに基づき電子カレンダ情報を生成し、当該電子カレンダに、前記受信したデジタルデータ放送信号をレイアウト表示する表示部と、を備えたことを特徴とする。
【０００７】
また、本発明において、前記表示部は、あらかじめ設定記憶された広告情報を強制的にレイアウト表示することを特徴とする。
【０００８】
また、本発明において、外部から設定される１チャンネル以上の受信チャンネルに基づき受信されるデジタルデータ放送信号を一時記憶し、当該記憶された受信チャンネル毎のデジタルデータ放送信号を、リアルタイムで受信したデジタルデータ放送信号と共に所定のレイアウトに従い前記表示部へ供給するレイアウト制御部と、を備えたことを特徴とする。
【０００９】
また、本発明において、前記表示部は、前記デジタルデータ放送信号が更新される迄、当該更新前のデジタルデータ放送信号を表示する電子ペーパであることを特徴とする。
【００１０】
上記した課題を解決するために本発明は、カレンダを表示する電子カレンダ表示装置に、受信したデジタルデータ放送信号をレイアウト表示するための表示方法であって、デジタルデータ放送信号を受信するステップと、受信したデジタルデータ放送信号から抽出される日付・時刻データに基づき電子カレンダを生成するステップと、前記生成された電子カレンダに、前記受信したデジタルデータ放送信号をレイアウト表示するステップと、を有することを特徴とする。
【００１１】
上記した課題を解決するために本発明は、電子カレンダ表示装置に用いられるプログラムであって、デジタルデータ放送信号を受信する処理と、前記受信したデジタルデータ放送信号から抽出される日付・時刻データに基づき電子カレンダを生成する処理と、前記生成された電子カレンダに、前記受信したデジタルデータ放送信号をレイアウト表示する処理と、をコンピュータに実行させることを特徴とする。
【発明の効果】
【００１２】
本発明によれば、表示部が、放送信号受信部を介して抽出される日付・時刻データに基づき電子カレンダを生成し、当該電子カレンダに、受信したデジタルデータ放送信号をレイアウト表示することにより、室内装飾用としての価値は勿論のこと、在宅、あるいは出先での緊急、最新情報の告知を、即時、容易に得ることができる、電子カレンダ表示装置を提供することができる。
【００１３】
また、本発明によれば、表示部が、あらかじめ設定記憶された広告情報を強制的にレイアウト表示することで、また、広告情報が変更されればそれに応じて表示も更新され、スポンサが意図する広告効果が保証される。
更に、レイアウト制御部が、設定される１チャンネル以上の受信チャンネルに基づき受信されるデジタルデータ放送信号を一時記憶し、当該記憶された受信チャンネル毎のデジタルデータ放送信号をリアルタイムで受信したデジタルデータ放送信号と共に所定のレイアウトに従い表示することで、視聴者は、異種データを即時に認識でき、情報量の増加に伴い情報ツールとしての役割を十分に果たせる電子カレンダ表示装置を得ることができる。また、本発明によれば、表示部を電子ペーパで構成することで、表示内容保持のための電力を不要とし、デジタルデータ放送信号が更新される迄、当該更新前のデジタルデータ放送信号を表示することができる。
【発明を実施するための最良の形態】
【００１４】
図１は、本発明の電子カレンダ表示装置の内部構成を機能展開して示したブロック図である。
本発明の電子カレンダ表示装置は、放送信号受信部１１と、映像デコード部１２と、受信チャンネル管理部１３と、放送信号記憶部１４と、日付・時刻データ抽出部１５と、カレンダ生成部１６と、レイアウト制御部１７と、表示制御部１８と、表示部１９で構成される。
【００１５】
放送信号受信部１１は、視聴者により設定される１チャンネル（以下、「ＣＨ」と称す）以上のチャンネル情報に基づき受信チャンネル管理部１３を介して指示されるデジタルデータ放送信号を受信し、その信号を、映像デコード部１２と、日付・時刻データ抽出部１５に供給している。
映像デコード部１２は、受信した１ＣＨ以上のデジタルデータ放送信号を放送信号記憶部１４へ録画のために一時記憶し、あるいはリアルタイムで得られるデジタルデータ放送信号をデコードしてレイアウト制御部１７へ供給する。以下、映像デコード部１２でデコードされたデジタルデータ放送信号を放送コンテンツという。なお、レイアウト制御部１７には、他に、カレンダ生成部１６によって生成されるカレンダ情報および時間情報が供給されている。
【００１６】
一方、日付・時刻データ抽出部１５は、放送信号受信部１１から受信したデジタルデータ放送信号から日付・時刻データを抽出してカレンダ生成部１６へ供給し、また、カレンダ生成部１６は、日付・時刻データ抽出部１５によって供給される時刻情報に基づき電子カレンダを生成してレイアウト制御部１７へ供給している。
レイアウト制御部１７は、カレンダ生成部１６により供給される電子カレンダ情報、および放送信号記憶部１４を介して映像デコード部１２から供給される録画された放送コンテンツ、映像デコード部１２から供給されるリアルタイムでの放送コンテンツのそれぞれを入力として得、所定の形式にレイアウト編集して表示制御部１８へ供給する。表示制御部１８は、レイアウト制御部１７から出力される、所定の形式にレイアウトされた放送コンテンツならびに電子カレンダ情報を、表示部１９を構成する表示デバイスに必要な表示信号に変換して表示部１９へ供給する。
【００１７】
なお、放送信号記憶部１４には、あらかじめ広告情報が設定記憶されており、レイアウト制御部１７は、この設定記憶された広告情報も併せ、表示部１９にレイアウト表示するものとする。
また、ここでは、表示部１９を構成する表示デバイスとして、電子ペーパが用いられることとする。電子ペーパは、紙のように柔軟でＬＣＤよりコントラストが高く視野角が優れているため読みやすく、自由に形状を作れる優位性がある。価格は低価格が特徴である新しいメディアである。情報は随時書替えが可能であり、一度表示すれば、電力を必要とせず、内容が保存されている。厚さは紙に近く、約２００ミクロン〜３００ミクロンと非常に薄く、紙のように柔軟性に富む。
構造は比較的単純であり、２枚のプラスチックの間にコピー機で使用されている帯電トナーを封じ込め、数ボルト〜１０ボルト程度の電圧を印加する。その結果、プラスチックの内側面では、帯電トナーの吸着、離着が起こり、情報が書き込まれる仕組みを持つ。別の方式として、着色した荷電粒子を封入したマイクロカプセルを塗布した層に場所により異なった極性および電圧を印加することでマイクロカプセル内の荷電粒子を泳働させ、画像表示するものもある。また、一つの画素をＲＧＢに３分割し、あるいはＣＭＹの３層を上下に積層することでカラー表示も可能である。
【００１８】
図４は、図１に示す電子カレンダ表示装置の動作を説明するために引用したフローチャートであり、一部本発明のプログラムの処理手順も示す。
以下、図４に示すフローチャートを参照しながら、図１に示す電子カレンダ表示装置の動作について詳細に説明する。
【００１９】
まず、視聴者によるチャンネル設定に基づき希望する番組が選択される。具体的には、図５に画面構成の一例が示されるように、ニュース、気象情報、スポーツ、地域情報に関する放送コンテンツがあるものとし、ここでは、視聴者は、気象情報と、ニュース番組を選択したとする。同時放映される場合はいずれかの番組にメモリ設定を行い、放送信号記憶部１４に一時記憶（録画）する。
これらに関するデジタルデータ放送信号は、適宜、放送信号受信部１１で受信され、映像デコード部１２によりデコードされ、放送コンテンツとしてレイアウト制御部１７、表示制御部１８を経由して、表示部１９で図５に示されるようにレイアウト表示される。
【００２０】
一方、放送信号受信部１１で受信したデジタルデータ放送信号は、日付・時刻データ抽出部１５にも供給されており、日付・時刻データ抽出部１５では、その中から日付、時刻データを抽出してカレンダ生成部１６へ供給する。カレンダ生成部１６は、供給される日付、時刻データに基づき、順次、カレンダ、時計の各データを設定してカレンダ情報の生成ならびに設定を行う（Ｓ４１、Ｓ４２）。
カレンダ情報の設定完了後、映像が受信され（Ｓ４６、Ｙｅｓ）、かつ受信チャンネルが設定されることにより（Ｓ４３）、受信しデコードした放送コンテンツ、録画された放送コンテンツ、生成される電子カレンダ、および広告コンテンツは、レイアウト制御部１７により適宜レイアウト制御され、表示制御部１８を介して表示部１９に表示される。表示部１９には、チャンネル変更も含め、受信した放送信号が更新される迄、更新前のデータが表示される（Ｓ４４、Ｓ４５）。
【００２１】
図５に本発明の電子カレンダ表示装置による画面構成の一例が示されている。図中、最下端における領域は、広告情報表示領域として専用に割付けられる領域であり、ここでは、放送コンテンツが表示される領域、カレンダや時計が表示される領域とは独立して管理される。なお、広告情報表示領域は、放送コンテンツが表示される領域に割当てても構わない。
なお、ここでは、表示部１９を構成する表示デバイスを電子ペーパとして説明したが、他に、液晶やプラズマや有機ＥＬ等のフラットパネルが考えられ、表示される放送コンテンツに合った表示デバイスが選択される。あるいは、複数種の表示デバイスを備え、表示内容を分割して表示するように構成しても良い。
【実施例１】
【００２２】
図２に、ＦＭ文字多重放送を用いた場合の本発明実施例の構成を示すブロック図が示されている。
図２に示されるように、ＦＭアンテナが受信したＦＭ文字多重放送のＦＭ信号はＦＭチューナ２１に入力され、文字信号は、ＬＭＳＫ（Level Control Minimum Shift Keying）復調部２２に入力される。ここで復調されたデジタルデータは、誤り訂正復号部２３により訂正された後、データメモリ２４に書き込まれる。また、システム制御部２６を構成するＣＰＵは、プログラムメモリ２７に記録された処理プログラムを逐次読み出して上記した動作を実行し、ＲＯＭ２５に記録されたカレンダ及び時刻データを補正し、電子ペーパ等表示部２８の表示制御を行う。なお、２９は、オーディオアンプである。
【００２３】
上記した実施例は、卓上あるいは壁掛け等の用途に応じた形態が採用され、ＦＭ選局、番組予約、データメモリ検索などの設定が可能である。また、表示画面を、例えば、１分毎に切換ることで画面内容が保持される低消費電力の電子カレンダ表示装置を提供できる。
【実施例２】
【００２４】
図３に、地上波デジタル音声放送を用いた場合の実施例の構成を示すブロック図が示されている。
図３において、ＵＨＦアンテナが受信した地上デジタル音声放送のＲＦ信号は地上波デジタル音声チューナ３１に入力され、更に、ＯＦＤＭ（Orthogonal Frequency Division Multiplexing：直交周波数分割多重）信号は、ＯＦＤＭ復調部３２に入力される。ここで復調されたデジタルデータは、誤り訂正復号部３３により訂正された後、ストリーム分離回路３４によって、トランスポートストリームから、映像、音声、制御情報が抽出され、圧縮されたデータが表示データにデコードされる。
システム制御部３７は、プログラムメモリ３８に記録された誤り処理プログラムに従い、ＲＯＭ３６から読み出されるカレンダおよび時刻データを補正して、電子ペーパ等表示部３９の表示制御を行う。なお、４０はオーディオアンプである。
【００２５】
上記した実施例によれば、卓上あるいは壁掛けなどの用途に応じた形態がとれ、受信したデータや映像を電子ペーパ等表示部３９へ表示し、この電子ペーパをテレビジョン画面とすることも可能である。
また、デジタルチューナ、ホームサーバ、そして、モデム内蔵機器を、ＩＥＥＥ８０２．１１ａ／ｂ／ｇ準拠の無線ＬＡＮ（Local Area Network）を伝送媒体とし、電子カレンダ表示装置の電源にはソーラ電池などの蓄電池を採用することで、ワイヤレス情報通信カレンダとする構成も考えられる。更に、モデム３５を介して、ネット回線、例えば、インターネット接続により、放送番組と連動した多彩なコンテンツサービスも利用できる。また、カレンダ表示画面を電子ペーパで構成することにより、例えば、１分毎に切換ることで画面内容が保持され、このことにより、低消費電力で電子カレンダ表示装置を提供できる。
【００２６】
以上説明のように本発明は、デジタルデータ放送を受信する最新のメディアステーションを用いることで室内装飾用の価値は勿論のこと、在宅、あるいは出先での緊急、最新情報の告知を、即時、容易に得ることができる、電子カレンダ表示装置を提供するものである。
なお、デジタルデータ放送として、ＦＭ文字多重放送、地上波デジタル音声放送の他に、モバイルデジタル衛星放送、ＢＳデジタルデータ放送、ＣＳデジタルデータ放送等を電子カレンダ表示装置に表示することで、ニュース、気象情報、交通情報、緊急情報、地域情報、イベント情報、公共情報などを、静止画、音声、更には動画を交えて受信し、表現することができる。また、ＥＰＧ（Electronic Program Guide：電子番組表）を使えば、何時でも最新の番組情報を入手でき、リモコンを使って見出しをクリックするだけでデジタルデータサービスを享受できる。更に、カレンダ表示に関しても、上記した放送メディアから時刻データを得て時刻補正を行うことで日付変更等が容易に設定できる。
【００２７】
なお、図１に示す放送信号受信部１１と、映像デコード部１２と、受信チャンネル管理部１３と、放送信号記憶部１４と、日付・時刻データ抽出部１５と、カレンダ生成部１６と、レイアウト制御部１７と、表示制御部１８のそれぞれで実行される手順をコンピュータ読み取り可能な記録媒体に記録し、この記録媒体に記録されたプログラムをコンピュータシステムに読み込ませ、実行することによって本発明の電子カレンダ表示装置を実現することができる。ここでいうコンピュータシステムとは、ＯＳや周辺機器等のハードウェアを含む。
【００２８】
また、「コンピュータシステム」は、ＷＷＷ（World Wide Web）システムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２９】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３０】
【図１】本発明の電子カレンダ表示装置の内部構成を機能展開して示したブロック図である。
【図２】本発明実施例の構成を示すブロック図である。
【図３】本発明の他の実施例の構成を示すブロック図である。
【図４】図１に示す電子カレンタ表示装置の動作を説明するために引用したフローチャートである。
【図５】本発明の電子カレンダ表示装置による画面構成の一例を示す図である。
【符号の説明】
【００３１】
１１…放送信号受信部、１２…映像デコード部、１３…受信チャンネル管理部、１４…放送信号記憶部、１５…日付・時刻データ抽出部、１６…カレンダ生成部、１７…レイアウト制御部、１８…表示制御部、１９…表示部
【図１】
2005210373.tif 000003
【図２】
2005210373.tif 000004
【図３】
2005210373.tif 000005
【図４】
2005210373.tif 000006
【図５】
2005210373.tif 000007